(57)【特許請求の範囲】
【請求項１】
開口部を有する非導電性の筐体と、
前記筐体内に設けられ、前記開口部から露出する電子部品と、
前記開口部を筐体外側から覆う非導電性の透明板と、
前記透明板の筐体側面に前記開口部を囲むように設けられた導電層と、
前記筐体の筐体内側面に前記開口部を囲んで設けられ、前記筐体内に設けられた回路基板のグランド層に電気的に接続された導電シートと、
前記導電層と前記導電シートとに挟まれた筐体壁に設けられた貫通穴と、
該貫通穴に配置され、前記導電層と前記導電シートとを電気的に接続する導電体と、
を備え、
前記貫通穴は、前記導電層の内周側縁部の位置に開口し、
前記導電体は、シート状部材をロール状に巻いて構成した筒状体であって、該筒状体の径方向が前記貫通穴の貫通方向を向くように前記貫通穴内に配置され、前記導電層と前記導電シートとに該筒状体の径方向において挟まれてロール形状がつぶされるように弾性変形して外周側への付勢力を生じつつ保持される
携帯端末。
【請求項２】
前記シート状部材は、導電性の線材が編み込まれて形成されている
請求項１に記載の携帯端末。
【請求項３】
前記導電層は、金属膜又は金属片を有する塗装膜である
ことを特徴とする請求項１又は２に記載の携帯端末。
【発明の詳細な説明】
【技術分野】
【０００１】
本発明は、携帯電話機、ＰＤＡ（Ｐｅｒｓｏｎａｌ  Ｄｉｇｉｔａｌ  Ａｓｓｉｓｔａｎｔ）、デジタルカメラ、ノート型パーソナルコンピュータ等の携帯端末に関し、特に、表示装置やカメラなどの電子部品が、筐体に設けられた開口部より露出するように構成された携帯端末に関する。
【背景技術】
【０００２】
携帯電話機、ＰＤＡ、デジタルカメラ、ノート型パーソナルコンピュータ等の携帯端末として、外装ケース（筐体）内に、回路基板上に配置された液晶表示装置等の表示装置と、表示装置の周囲を囲む枠状のシールド用プレートとを備え、シールド用プレートと回路基板上のグランドパターンとを電気的に接続したものが知られている（例えば特許文献１）。外装ケースには、表示装置を露出させる開口部が形成されており、開口部には外装ケース外側から透明板が被せられる。透明板は、その周縁において、外装ケースに対して貼り付けられる。
【０００３】
この携帯端末では、外装ケースと透明板との間から侵入する静電気を、シールド用プレートを介してグランドパターンに逃がすことにより、表示装置の誤作動や破損が防止される。
【特許文献１】特開２００３−１８２６４号公報
【発明の開示】
【発明が解決しようとする課題】
【０００４】
近年、外装ケースのうち、開口部の周縁部分、すなわち、透明板が貼り付けられた部分を隠すために、透明板の周縁に塗装が行われることがある。そして、その塗装には、光沢を増して見栄えをよくするために、金属粉末等を混ぜた塗料が用いられることがある。その結果、透明板周縁の導電性が高くなり、透明板と外装ケースとの間から静電気が侵入しやすくなっている。
【０００５】
本発明の目的は、筐体と筐体の開口部を覆う透明板との間から侵入する静電気が筐体内部の表示装置などの電子部品に及ぼす悪影響を、透明板の周縁に導電層が形成されている場合においても低減可能な携帯端末を提供することにある。
【課題を解決するための手段】
【０００６】
本発明の携帯端末は、開口部を有する非導電性の筐体と、前記筐体内に設けられ、前記開口部から露出する電子部品と、前記開口部を筐体外側から覆う非導電性の透明板と、前記透明板の筐体側面に前記開口部を囲むように設けられた導電層と、前記筐体の筐体内側面に前記開口部を囲んで設けられ、前記筐体内に設けられた回路基板のグランド層に電気的に接続された導電シートと、前記導電層と前記導電シートとに挟まれた筐体壁に設けられた貫通穴に配置され、前記導電層と前記導電シートとを電気的に接続する導電体とを備え、前記貫通穴は、前記導電層の内周側縁部の位置に開口させてあることを特徴とする。
【０００７】
好適には、前記導電体は、弾性を有し、前記導電層と前記導電シートとに挟まれて保持されている。
【０００８】
好適には、前記導電体は、シート状部材をロール状に巻いて構成した筒状体であって、該筒状体の径方向が前記貫通穴の貫通方向を向くように前記導電体を前記貫通穴内に配置する。
【０００９】
好適には、前記導電層は、金属膜又は金属片を有する塗装膜である。
【発明の効果】
【００１０】
本発明によれば、筐体と筐体の開口部を覆う透明板との間から侵入する静電気が筐体内部の電子部品に及ぼす悪影響を、透明板の周縁に導電層が形成されている場合においても防止できる。
【発明を実施するための最良の形態】
【００１１】
図１及び図２は、本発明の実施形態に係る携帯電話機１を示す外観斜視図である。携帯電話機１はいわゆる折り畳み式の携帯電話機として構成されており、図１は開状態を、図２（ａ）及び図２（ｂ）は閉状態をそれぞれ示している。
【００１２】
携帯電話機１は、受話筐体２と、送話筐体３とを備えている。受話筐体２及び送話筐体３は、それぞれの端部が連結部４により連結されることにより携帯電話機１としての筐体を構成するようになっており、携帯電話機１は、連結部４側を回動の中心として開閉可能である。受話筐体２及び送話筐体３は、それぞれ概ね薄型直方体に形成されており、閉状態では互いに重ね合わされ、一方の筐体側から他方の筐体側を見たときに互いの輪郭が略一致するようになっている。
【００１３】
受話筐体２は、閉状態で送話筐体３に対向する面側の正面側ケース６と、その背面側の背面側ケース７とを備えている。正面側ケース６及び背面側ケース７は、例えば非導電性の樹脂によりそれぞれ成形されている。受話筐体２の正面側ケース６には、通話用のスピーカ４８（図７参照）の放音口１３が開口している。受話筐体２には、正面に画像や文字を表示するメイン表示部１１と、背面に画像や文字を表示するサブ表示部１２とが設けられている。なお、メイン表示部１１及びサブ表示部１２は、例えば液晶表示装置や有機ＥＬ表示装置などの表示装置を含んで構成されている。
【００１４】
送話筐体３は、閉状態で受話筐体２に対向する面側の正面側ケース８と、その背面側の背面側ケース９と、背面側ケース９の背面側に被せられる蓋体１０とを備えている。正面側ケース８、背面側ケース９及び蓋体１０は、例えば非導電性の樹脂によりそれぞれ成形されている。送話筐体３の正面側ケース８には通話用のマイクロフォン４９（図７参照）の集音口１８が開口し、蓋体１０には報知用スピーカ５０（図７参照）の放音口１９が開口している。送話筐体３には、ユーザの操作を受け付ける操作部１７が設けられている。操作部１７には、例えばテンキー１７ａ、カーソルキー１７ｂ、ファンクションキー１７ｃ等の各種ボタンが配置されており、正面側ケース８より露出するようになっている。
【００１５】
図３は、受話筐体２を背面側（図２（ａ）紙面上方側）から見た分解斜視図であり、図４は、受話筐体２を正面側（図２（ａ）紙面下方側）から見た分解斜視図である。ただし、図３及び図４は、正面側ケース６やメイン表示部１１等、種々の構成要素を省略して受話筐体２を示している。
【００１６】
受話筐体２では、筐体内部側から、回路基板２１と、表示装置２２と、導電シート２３と、導電体２４及び背面側ケース７と、透明板２５とが積層的に配置されている。また、透明板２５の背面側ケース７側の面には、導電層２６（図４のハッチング部分）が形成されている。なお、表示装置２２と導電シート２３との間に衝撃吸収用の弾性部材（例えば、スポンジなど）を配置しても良い。
【００１７】
回路基板２１は、例えば樹脂をベースとする厚肉のプリント配線基板により構成されており、表示装置２２側の面にはグランドパターン層２１ａ（図３において一部のみ図示）が形成されている。回路基板２１には、表示装置２２へ電力を供給する電源回路や表示装置２２の動作を制御するための制御回路等の種々の電子回路が不図示のＩＣ等を含んで構成されている。
【００１８】
表示装置２２は、例えば液晶表示装置により構成されている。表示装置２２は、例えば全体として略矩形に形成され、画像を表示する表示領域２２ａも略矩形に形成されている。なお、表示装置２２のうち表示領域２２ａよりも回路基板２１中央側には、画素毎に電圧を液晶に印加するための制御回路等が収納されている。表示装置２２は、箱体状のホルダ２８に収容されて保持されている。ホルダ２８は、例えば非導電性の樹脂等により形成されており、回路基板２１上に固定されている。
【００１９】
背面側ケース７の透明板２５に対向する面には、透明板２５を配置するための凹部３２が形成され、凹部３２の底部には、表示領域２２ａを筐体外部へ露出させるための開口部３３及び導電体２４を配置するための貫通穴３４が開口している。
【００２０】
凹部３２の形状は、例えば略楕円である。開口部３３は、凹部底面の略中央に開口し、開口部３３の形状及び大きさは、例えば表示領域２２ａと略同一である。貫通穴３４は、開口部３３の周囲を形成する凹部底面に開口している。例えば開口部３３よりも背面側ケース７中央側において開口している。貫通穴３４は開口部３３に比較して小さい。
【００２１】
導電シート２３は、例えば銅からなる薄肉のシートにより構成されており、導電性を有している。導電シート２３には、表示装置２２の表示領域２２ａを露出させるための開口部２３ａが開口しており、導電シート２３は全体として枠状に形成されている。開口部２３ａは、例えば表示領域２２ａと略同一の形状及び大きさである。導電シート２３は、例えば背面側ケース７の内側面のうち開口部３３の外周部７ａ（図４）に、接着シート等の接合手段により固定されることにより、開口部３３を囲むように配置される。
【００２２】
導電シート２３の外周側からは突片２３ｂが延出している。突片２３ｂは、タブ３０を介して回路基板２１のグランドパターン層２１ａに電気的に接続される。すなわち、導電シート２３はグランドパターン層２１ａに電気的に接続される。
【００２３】
なお、タブ３０は、導電性を有する部材により適宜に構成してよい。例えば、タブ３０は、グランドパターン層２１ａから突出する金属製のバネ接点であり、正面側ケース６と背面側ケース７とを互いに固定したときに、背面側ケース７の内側面により突片２３ｂがバネ接点に押し付けられることにより、突片２３ｂとバネ接点とが接続される。
【００２４】
透明板２５は、例えばアクリル樹脂等の透光性を有する非導電性の材料により形成されている。透明板２５は、背面側ケース７の凹部３２に嵌合挿入可能な略平板状に形成されており、その厚さは例えば凹部３２の深さと略同等である。透明板２５が凹部３２に嵌合挿入されると、開口部３３は全体が透明板２５により覆われる。これにより、表示領域２２ａは外力から保護され、開口部３３からの受話筐体２内部への塵や水分の侵入も防止される。
【００２５】
導電層２６は、例えば金属粉末（金属片）等を混ぜ込んだ塗料を透明板２５に塗布して形成された塗装膜又は金属を透明板２５に蒸着するなどして形成された金属膜であり、導電性を有している。導電層２６は、透光性を有さず、あるいは、透明板２５よりも透光性が低い。導電層２６は、透明板２５の背面側ケース７側の面に形成され、かつ、透明板２５の周縁部において透明板２５の全周に亘って形成されている。
【００２６】
導電層２６が形成されなかった透光領域２５ａ（導電層２６よりも内周側の領域）の形状及び大きさは、開口部３３と相似で、一周り大きくなるように形成してあり、表示装置２２の表示領域２２ａ上に配置される。従って、導電層２６は開口部３３を囲むように配置されることになる。なお、導電シート２３の開口部２３ａも表示領域２２ａ上に配置されるから、導電層２６と導電シート２３とは平面視において少なくとも一部が重なり合う。貫通穴３４は、導電層２６と導電シート２３とが重なり合う領域（導電層２６と導電シート２３とに挟まれる領域）に配置されている。
【００２７】
また、透光領域２５ａは、背面側ケース７の開口部３３よりも若干大きく（図６（ａ）参照）、導電層２６は、開口部３３の縁部から外周側へ離れた位置に配置されることになる。そして貫通穴３４は、導電層２６の内周側（開口部３３側）の縁部に位置している。一方、導電シート２３の開口部２３ａは、開口部３３よりも若干大きい程度に配置されている。その為、貫通穴３４は、導電シート２３上に位置する。
【００２８】
透明板２５と背面側ケース７との固定は、凹部３２の底面（透明板２５側の面）及び透明板２５の導電層２６との間に配置された接着シート等の接合手段によりなされる。なお、透明板２５の透光領域２５ａの形状及び大きさは開口部３３の形状及び大きさと略同一であり、凹部３２の底面は、筐体外部側から見て大部分が導電層２６によって隠されることになる。
【００２９】
導電体２４は、金属等の導電性材料で形成されており、例えば貫通穴３４に挿入される形状及び大きさを有している。導電体２４は、貫通穴３４に挿入された状態で、導電層２６と導電シート２３とに挟まれる。これにより、導電体２４は、背面側ケース７に対して保持され、かつ、導電層２６と導電シート２３とを電気的に接続する。なお、導電体２４は、導電層２６の内周側（透光領域２５ａ側）の縁部に位置する。導電体２４は、導電層２６や導電シート２３に対して半田などにより接着されてもよい。
【００３０】
図５（ａ）は、導電体２４を示す斜視図であり、図５（ｂ）は、導電体２４を構成するシート状部材２４′を示す斜視図であり、図５（ｃ）は、シート状部材２４′の拡大図である。
【００３１】
導電体２４は、図５（ｂ）に示す導電性のシート状部材２４′が矢印ｙ３方向に巻かれ、すなわち、図５（ａ）に示すようにロール状（円筒状）に巻かれて構成されている。シート状部材２４′が重なる領域２４ａは、接着シートや半田等の接合手段により互いに接合されている。また、図５（ｃ）に示すように、シート状部材２４′は、銅等の導電性の線材３６が編み込まれて形成されている。なお、線材３６の直径や編み込み形式は適宜に設定してよい。
【００３２】
そして、図５（ａ）に示す筒状体をした導電体２４は、その径方向において導電層２６及び導電シート２３に挟まれるように貫通穴３４内に配置される。導電体２４の直径Ｄ１は背面側ケース７の貫通穴３４の深さよりも大きくしてある。従って、導電体２４は、導電層２６及び導電シート２３により挟み込まれたときに、導電層２６及び導電シート２３から矢印ｙ１及びｙ２で示す方向への力を外周面に受け、貫通穴３４の深さと同等の厚さになるまでロール形状がつぶされるようにして弾性変形し、変形量に応じた外周側への付勢力を生じる。
【００３３】
図６（ａ）は、携帯電話機１における、透明板２５と、背面側ケース７との間から侵入した静電気の経路を説明する概念的な断面図である。
【００３４】
矢印ｙ５に示すように、透明板２５の周縁から透明板２５と背面側ケース７との間へ侵入した静電気は、導電層２６を流れて導電層２６の内周側の縁部に到達し、さらに、導電体２４、導電シート２３、タブ３０を流れてグランドパターン層２１ａに到達する。
【００３５】
図６（ｂ）は、携帯電話機１の比較例を示している。導電体２４は、導電層２６の内周側の縁部よりも外周側において導電層２６と導電シート２３とを接続している。この場合、導電体２４を設ける利点はほとんど得られず、透明板２５と背面側ケース７′との間から侵入した静電気は、矢印ｙ８で示すように、導電層２６の内周側の縁部から開口部３３の表示装置に流れる。
【００３６】
図６（ｃ）は、携帯電話機１の従来例を示している。導電体２４を設けずに、導電シート１２３を開口部１３３の縁部まで延ばし、矢印ｙ１０で示すように導電層２６を流れる静電気をグランドパターン層２１ａに逃がそうとすると、矢印ｙ１１で示すように比較的大量の静電気が開口部１３３から表示装置へ流れるおそれがある。
【００３７】
図７は、携帯電話機１の信号処理系の構成の一例を示すブロック図である。ＣＰＵ４１及びメモリ４２は例えばＩＣにより構成され、操作部１７等の各種手段からの信号に基づいて所定の演算を行い、画像処理部４５等の各種手段の制御を実行する制御部として機能する。
【００３８】
通信処理部４３は、高周波回路を含んで構成され、電波を利用した無線通信を行うために、ＣＰＵ４１で処理された音声データ、画像データ等の各種データを変調して、アンテナ４７を介して送信する。また、通信処理部４３は、アンテナ４７を介して受信した信号を復調してＣＰＵ４１に出力する。
【００３９】
音声処理部４４は、ＣＰＵ４１からの音声データを音声信号に変換して通話用のスピーカ４８、着信等を報知するためのスピーカ５０に出力する。又、音声処理部４４は、マイクロフォン４９からの音声信号を音声データに変換してＣＰＵ４１に出力する。画像処理部４５は、ＣＰＵ４１からの映像データを映像信号に変換してメイン表示部１１、サブ表示部１２に出力する。
【００４０】
以上の実施形態によれば、導電層２６と導電シート２３とが重なる位置に開口する貫通穴３４に配置され、導電層２６と導電シート２３とを電気的に接続する導電体２４を設けたことから、透明板２５と背面側ケース７との間に入り込んだ静電気を、導電層２６、導電体２４、導電シート２３を介して回路基板２１のグランドに逃がすことができ、静電気が表示装置２２に及ぼす影響を低減することができる。また、導電シート２３を表示装置２２よりも外周側に配置し、表示装置２２を導電シート２３の厚さよりも小さい間隔で背面側ケース７の内側面に近づければ、従来のように表示装置と筐体内側面との間に表示装置に被せるシールド用プレートのスペースを確保する必要がなく、携帯端末の薄型化が図られる。
【００４１】
導電層２６は開口部３３の縁部から外周側に離れた位置に設けられ、貫通穴３４は、導電層２６の内周側縁部の位置にて開口し、導電体２４は、導電層２６の内周側縁部と、導電シート２３とを電気的に接続するから、図６（ａ）において示したように、導電体２４を導電層２６の内周側縁部よりも外周側に設けた場合に比較して、導電層２６の内周側縁部から開口部３３への静電気の侵入をより確実に防止できる。
【００４２】
導電体２４は弾性を有するから、導電層２６と導電シート２３とに挟まれたときに生じる付勢力により、確実に導電層２６と導電シート２３に接触することができ、静電気を導電層２６から導電シート２３へ確実に流すことができる。
【００４３】
弾性を有する導電体２４は、例えば、導電性の線材３６を編んで形成したシート状部材２４′をロール状に巻いて構成した筒状体とすることにより、簡単に構成することができる。この場合、ロールがつぶれて外周側への付勢力が生じることにより、導電体２４が貫通穴３４の内壁に密着して確実に位置決めされるという効果もある。
【００４４】
本発明は以上の実施形態に限定されず、種々の態様で実施してよい。
【００４５】
携帯端末は、筐体に開口部を有するとともに、開口部から露出する電子部品を備えるものであればよく、携帯電話機に限定されない。例えば、ＰＤＡ、ノートパソコン、ゲーム機、デジタルカメラでもよい。
【００４６】
電子部品は、筐体内に設けられ、開口部から露出するものであればよく、表示装置に限定されない。例えば、撮像装置や光センサであってもよい。また、開口部から光を出射する部品や開口部からの光を受光する部品に限定されず、例えば、筐体の一部をいわゆるスケルトンタイプにするため等、デザイン上の理由から開口部から視認可能とされた電子部品であってもよい。
【００４７】
導電体は、導電層と導電シートとを導通できればよく、弾性を有するものに限定されない。例えば、金属片であってもよい。また、弾性を有する場合、シートをロール状にしたものに限定されず、例えば導電層と導電シートの積層方向を付勢方向とする金属製のコイルバネを導電体としてもよい。シートをロール状にする場合、シートは線材を編み込んだものに限定されず、金属製の板であってもよい。また、ロールは、一巻きでも複数回巻いたものでもよく、巻いたシートの重なり部分を接合してもしなくてもよい。
【００４８】
導電層及び導電シートは、筐体の開口部縁部から外周側に離れた位置に配置されるものに限定されない。換言すれば、導電層や導電シートの開口部は、筐体の開口部よりも大きくても、同等でも、小さくてもよい。
【００４９】
導電体や導電体を配置する貫通孔は、実施形態において表示装置内部の制御回路が設けられる側に１箇所設けたように、特に静電気の侵入が防止されるべき箇所に設けられてもよいし、開口部の四方に設けるなど、開口部の全周に亘って複数設けられてもよい。
【図面の簡単な説明】
【００５０】
【図１】本発明の第１の実施形態の携帯電話機を開状態で示す外観斜視図。
【図２】図１の携帯電話機を閉状態で示す外観斜視図。
【図３】図１の携帯電話機の受話筐体を背面側から見た一部省略分解斜視図。
【図４】図１の携帯電話機の受話筐体を正面側から見た一部省略分解斜視図。
【図５】図１の携帯電話機の導電体を示す図。
【図６】（ａ）は図１の携帯電話機における静電気の経路を説明する概念的な断面図、（ｂ）は比較例の携帯電話機における静電気の経路を説明する概念的な断面図、（ｃ）は従来例の携帯電話機における静電気の経路を説明する概念的な断面図。
【図７】図１の携帯電話機の信号処理系の構成を示すブロック図。
【符号の説明】
【００５１】
１…携帯電話機（携帯端末）、２…受話筐体、２１…回路基板、２１ａ…グランドパターン層（グランド）、２２…表示装置（電子部品）、２３…導電シート、２４…導電体、２５…透明板、２６…導電層、３３…開口部、３４…貫通穴。
【図１】
0004642643.tif 000002
【図２】
0004642643.tif 000003
【図３】
0004642643.tif 000004
【図４】
0004642643.tif 000005
【図５】
0004642643.tif 000006
【図６】
0004642643.tif 000007
【図７】
0004642643.tif 000008